(57)【要約】【課題】軽快に装着することができ、使い勝手がよく、首廻りや肩まわりに薬液などを付与しやすい簡易な身体用の噴射装置を提供する。【解決手段】可撓性を有し、側面に噴口１５を有するチューブ１３を環状に湾曲したノズル１１と、そのノズルの両端間に、ノズルの内部に内容物を噴出できるように連結された小型エアゾール製品（小型噴射製品）１２とからなる身体用の噴射装置１０。環状に湾曲したノズルの差し渡しは１００〜１５００ｍｍであり、使用者の頭、首、肩、腕、手首、脚または腰を通すことができるものである。エアゾール製品１２にはＴ字状の通路を有する押しボタン（連結具）１４が連結されており、その押しボタン１４からの２方向の通路が前記ノズル１１の両端に連結されている。【選択図】図１
2012000555.tif 000002
【特許請求の範囲】
【請求項１】
可撓性を有し、側面に噴口を有するチューブを環状に湾曲したノズルと、そのノズルの両端間に、ノズルの内部に内容物を噴出できるように連結された小型噴射製品とからなる、身体用の噴射装置。
【請求項２】
前記環状に湾曲したノズルの差し渡しが１００〜１５００ｍｍであり、使用者の頭、首、肩、腕、手首、脚または腰を通すことができる請求項１記載の身体用の噴射装置。
【請求項３】
前記小型噴射製品にＴ字状の通路を有する連結具が連結されており、その連結具の２方向の通路が前記ノズルの両端間に連結されている請求項１または２記載の身体用の噴射装置。
【請求項４】
前記小型噴射製品が、噴射可能状態と噴射阻止状態とに切り替えるための切り替え機構を備えている請求項１、２または３記載の身体用の噴射装置。
【請求項５】
可撓性を有し、使用者の頭、首、肩、腕、手首、脚または腰を通すことができる環状の吊り紐と、その吊り紐に連結された小型噴射製品とからなり、
前記小型噴射製品が、噴射可能状態と噴射阻止状態とに切り替えるための切り替え機構を備えている身体用の噴射装置。
【請求項６】
前記切り替えが、小型噴射製品に設けた摘み部を回動することにより行われる請求項４または５記載の身体用の噴射装置。
【請求項７】
前記小型噴射製品の重量が５０ｇ以下で、径が２５ｍｍ以下、高さが１００ｍｍ以下である請求項１〜６のいずれかに記載の身体用の噴射装置。
【請求項８】
前記小型噴射製品が小型エアゾール製品である請求項１〜７のいずれかに記載の身体用の噴射装置。
【発明の詳細な説明】
【技術分野】
【０００１】
本発明は身体用の噴射装置に関する。さらに詳しくは、常時身体に装着しておくことができ、必要に応じて身体に向けて薬液などを噴射することができる身体用の噴射装置に関する。
【背景技術】
【０００２】
特許文献１は、エアゾール容器のアクチュエータの噴射口に供給チューブを連結し、その先端に切り替え器を介して複数本の吐出チューブを連結し、それらの吐出チューブの先端に、身体に薬液を付与する不織布などの付与部材を接続する技術を提案している。エアゾール容器は、衣服のポケット、ポーチ、リュックサックなどに収納するか、ホルダーなどに収納してそのホルダーをベルトや衣服に装着する。
【０００３】
特許文献１は、段落［００３０］および図８、図９において、液化ガスを吸収しやすく、低温維持性が高いゲルなどを充填したアーチ状の冷却体に吐出チューブを蛇行状態で挿通した付与部材を開示している。この付与部材はシャツの襟首に沿って設けた袋状の収納部に収納することにより、使用者の首元を冷却することができる。さらに吐出チューブの側面に、冷却体へエアゾール組成物を直接供給できる孔を設けることも提案している。
【０００４】
特許文献２には、冷却スプレーや保冷剤を収容するケースと使用者の首のまわりに装着する身体装着部とを２本のチューブで連結し、不凍液などの凍りにくい溶液を循環させる身体冷却装置が記載されている。２本のチューブは揃って延びており、リング状にはなっていない。特許文献３には、多数の噴孔を列設した細長いチューブ状のノズルが開示されている。このノズルは、エアゾール装置の押しボタンに装着して、噴射の勢いを緩めると共に、薬液を広い範囲で噴出する網戸などに用いるものである。特許文献４は、ステムと噴孔との間にリング状の通路を介在させた押しボタンタイプの噴出部材が開示されている。リング状の通路は、指を挿入する穴を迂回するために形成したものであり、途中に噴孔を設けていない。
【先行技術文献】
【特許文献】
【０００５】
【特許文献１】特開２００２−３０７００４号公報
【特許文献２】特開２０１０−６９２７５号公報
【特許文献３】特開２０００−８５８６３号公報
【特許文献４】特許第４２７２７９８号公報
【発明の概要】
【発明が解決しようとする課題】
【０００６】
特許文献１の薬液供給装置は、薬液および噴射剤を収容しているエアゾール製品と、身体に薬液を供給する付与部材や身体を冷却する付与部材とがチューブで連結されているので、エアゾール製品をポケットなどに収容することができる。そのため、身体の付与すべき部位には付与部材だけを装着すればよく、軽快に使用できる。しかし途中のチューブが折れ曲がらないようにする注意する必要がある。また、折れないような硬いチューブを用いると、使い勝手がわるい。特許文献２の身体冷却装置も同様の問題がある。
【０００７】
特許文献３のノズルは、ノズルの途中に多数の噴孔を設けるので、柔らかく噴射できる利点があるが、首の廻りなど、身体、とくに使用者自身の身体に付与する場合は付与しにくい。特許文献４の噴射部材は、ステムと噴孔との間に左右に分かれる通路を介在してい
るので、途中の障害を迂回して噴出させることができる。この迂回する通路の内面に噴孔を設ける場合は指に薬液を付与できるが、首廻りや肩の廻りなど、広い範囲に付与することは困難である。本発明は、軽快に装着することができ、使い勝手がよく、首廻りや肩まわりに薬液などを付与しやすい簡易な身体用の噴射装置を提供することを課題としている。
【課題を解決するための手段】
【０００８】
本発明の身体用の噴射装置は、可撓性を有し、側面に噴口を有するチューブを環状に湾曲したノズルと、そのノズルの両端間に、ノズルの内部に内容物を噴出できるように連結された小型噴射製品とからなることを特徴としている（請求項１）。このような身体用の噴射装置は、前記環状に湾曲したノズルの差し渡しが１００〜１５００ｍｍであり、使用者の頭、首、肩、腕、手首、脚または腰を通すことができるものが好ましい（請求項２）。また、前記エアゾール製品にＴ字状の通路を有する連結具が連結されており、その連結具の２方向の通路が前記ノズルの両端間に連結されているものが好ましい（請求項３）。さらに前記小型噴射製品が、噴射可能状態と噴射阻止状態とに切り替えるための切り替え機構を備えているものが好ましい（請求項４）。
【０００９】
本発明の身体用の噴射装置の第２の態様は、可撓性を有し、使用者の頭、首、肩、腕、手首、脚または腰を通すことができる環状の吊り紐と、その吊り紐に連結された小型噴射製品とからなり、前記小型噴射製品が、噴射可能状態と噴射阻止状態とに切り替えるための切り替え機構を備えていることを特徴としている（請求項５）。
【００１０】
前記切り替え機構を備えた身体用の噴射装置の場合は、前記切り替えが、小型噴射製品に設けた摘み部を回動することにより行われるものが好ましい（請求項６）。さらに前記いずれの身体用の噴射装置においても、前記小型噴射製品は、その重量が５０ｇ以下で、径が２５ｍｍ以下、高さが１００ｍｍ以下であるのが好ましい（請求項７）。前記いずれの身体用の噴射装置においても、前記小型噴射製品が小型エアゾール製品であるものが好ましい。
【発明の効果】
【００１１】
本発明の身体用の噴射装置（請求項１）は、可撓性を有し、側面に噴口を有するチューブを環状に湾曲したノズルを採用しており、そのノズルの両端の間に小型噴射製品が連結されているので、ノズルを身体に吊したり保持させたりすることにより、小型噴射製品そのものを身体に装着することができる。また、ノズルに小型噴射製品を一体化することができるので、小型噴射製品とノズルとを連結するチューブを別個に準備する必要がなく、使い勝手がよい。小型噴射製品から噴出された内容物は、チューブの内部空洞を通り、側面に形成された噴口から噴出する。そのため、小型噴射製品の内容物はノズルが囲んでいる身体の部位に周囲に幅広く、緩やかに噴射することができる。
【００１２】
このような身体用の噴射装置において、前記環状に連結されるノズルの差し渡しが１００〜１５００ｍｍであり、使用者の頭、首、肩、腕、手首、脚または腰を通すことができるものである場合（請求項２）は、身体に対して密着状態で吊しておくことができ、一層、使い勝手がよい。
【００１３】
前記小型噴射製品にＴ字状の通路を有する連結具が連結されており、その連結具の２方向の通路が前記ノズルの両端間に連結されている場合（請求項３）は、湾曲状のノズル内に、その両端から内容物が噴射され、途中に形成された噴口から外部に噴出する。そのため、小型噴射製品から噴出される内容物は、ノズル内を逆方向に進行し、ノズルの中央近辺で出会うことになる。そしてその途中の噴口から外部に噴出されるため、内圧が次第に減じて抵抗が少なくなり、ノズルの中間部まで届いて効果を発揮する。
【００１４】
前記小型噴射製品が、噴射可能状態と噴射阻止状態とに切り替えるための切り替え機構を備えている場合（請求項４）は、噴射阻止状態に切り替えておくと、首や肩のまわりに装着された小型噴射製品が激しく揺れても、誤って薬液などが噴射することがない。そして使用者が意図して噴射する場合は、噴射可能状態に切り替え操作をしてから噴射すればよい。
【００１５】
本発明の身体用の噴射装置の第２の態様（請求項５）は、環状の吊り紐を頭、首、肩、腕、手首、脚または腰などに掛けることにより、小型噴射製品を身体に装着することができる。そして小型噴射製品が、噴射可能状態と噴射阻止状態とに切り替えるための切り替え機構を備えているので、使用者が激しい運動などをする場合でも、誤って噴射することがない。噴射する場合は、吊り紐を外して、あるは吊ったまま、小型噴射製品の切り替え機構を操作して身体に噴射させることができる。したがって使い勝手がよい。
【００１６】
前記切り替えが、小型噴射製品に設けた摘み部を回動することにより行われる場合（請求項６）は、両手で摘み部と他の部位とを摘んでひねり操作を加えることにより、初めて切り替え操作ができる。したがって安全生が高い。
【００１７】
前記小型噴射製品の重量が５０ｇ以下で、径が２５ｍｍ以下、高さが１００ｍｍ以下である場合（請求項７）は、とくに軽量で小型であるので、首などから吊り下げても使用者の負担にならない。前記いずれの身体用の噴射装置においても、小型噴射製品が小型エアゾール製品である場合（請求項８）は、噴射および停止操作が簡単である。さらに噴射剤の圧力により、ノズル内部に薬剤を送り込みやすい。
【図面の簡単な説明】
【００１８】
【図１】本発明の身体用の噴射装置の一実施形態を示す正面図である。
【図２】本発明の身体用の噴射装置の一実施形態の要部断面図である。
【図３】図３ａおよび図３ｂはそれぞれ図１の噴射装置の使用状態を示す正面図である。
【図４】本発明の噴射装置の他の実施形態を示す一部断面正面図である。
【図５】図５ａ、図５ｂは図４の噴射装置のロック・ロック解除作用を示す側面図である。
【図６】本発明の噴射装置のさらに他の実施形態を示す一部断面正面図である。
【図７】図６のVII-VII線断面図である。
【図８】本発明の噴射装置のさらに他の実施形態を示す一部断面正面図である。
【図９】図８の噴射装置の噴射・停止切り替え機構の一実施形態を示す斜視図である。
【発明を実施するための形態】
【００１９】
図１に示す噴射装置１０は、首に下げる環状のノズル１１と、そのノズル１１に吊り下げられる小型エアゾール製品１２とから、いわゆるペンダントの形態に構成されている。ノズル１１は合成樹脂製のチューブ１３を環状に湾曲させ、その両端を押しボタン１４に互いに向かい合うように連結している。チューブ１３は、湾曲したときに内部空洞がつぶれない程度の硬さと、ある程度以上の曲率半径で湾曲できる程度の可撓性を備えている。湾曲させる力を緩めると直線状に戻る弾力性を有するものでもよい。戻らずに湾曲形状を維持するものでもよい。
【００２０】
チューブ１３の材料はポリエチレン、ポリプロピレン、ナイロンなどであり、外径は２〜１０ｍｍ、内径は１〜７ｍｍ程度である。チューブには、チューブ長の１／２〜１／１０の間隔で噴口１５が形成されている。噴口１５の向きは用途に応じて定められる。図１の実施形態では使用者の首まわりに清涼剤を噴霧するため、噴口１５は湾曲の内面側に形
成されている。噴口１５は等間隔に設けてもよく、均等に噴射するためなど、目的に応じて間隔を調整することもできる。さらに部位に応じて長さ当りの噴口の数を変えたり、噴口を省略することもできる。噴口の大きさは０．１〜３ｍｍであることが好ましい。噴口１５の大きさは同じにしてもよく、チューブ１３の端部から中心にかけて次第に大きくするなど、各噴口からの噴射量を調整することができる。
【００２１】
図２に示すように押しボタン１４には略Ｔ字状の通路１６が形成されており、下向きの通路１７に連通するステム嵌合孔１７ａには小型エアゾール製品１２のステム１８が嵌合している。小型エアゾール製品１２はステム嵌合孔１７ａとステム１８との嵌合摩擦により支持され、吊られている。ただしネジなど、他の固定手段を採用することもできる。左右に延びる横向きの通路１９、１９には、チューブ配管用のコネクタ（継手、図１の符号２０参照）の一端に設けられる雄ネジ部がネジ込まれており、コネクタの他端にはチューブ１３の端部が挿入され、気密に連結している。ただし図２のように、押しボタン１４に直接チューブ１３の端部を固定してもよい。符号２１はチューブ１３の端部を気密に保持するコレットである。なお、他の形式のチューブ用のコネクタを使用することもできる。チューブ１３の一端または両端を押しボタン１４に対して着脱自在に連結できるようにしておくと、腰のまわりに装着するのが容易になり、頭髪に触れないように装着することも容易になる。
【００２２】
小型エアゾール製品１２は、小型軽量であれば、種々の構成および大きさのものを使用できるが、重量が５０ｇ以下で、径が２５ｍｍ以下、高さが１００ｍｍ以下のものが好ましい。図２では小型エアゾール製品１２は耐圧性を有する有底筒状の本体２２と、その本体の上端開口を塞ぐバルブ２３と、そのバルブを本体２２に固定するためのキャップ２４と、本体２２の内部に充填されたエアゾール組成物とからなる。
【００２３】
バルブ２３は、ハウジング２５と、そのハウジング内に上下に移動自在に収容されるステム１８と、そのステムを常時上向きに付勢するバネ２６と、キャップ２４とハウジング２５の間に介在され、ステム１８の孔を塞ぐガスケット２７とからなる公知のものである。キャップ２４は本体２２の上部に被せられ、下端近辺が本体上部に設けられた環状の小径部２８にクリンプされる（加締め付けられる）。それによりバルブ２３は本体２２に固定される。
【００２４】
小型エアゾール製品１２の内部には、清涼剤、冷却剤、忌避剤、消臭剤、オーデコロンなどの原液と、液化石油ガス、ジメチルエーテルまたはこれらの混合ガスなどの液化ガスあるいは窒素や二酸化炭素、空気などの圧縮ガスからなるプロペラントが充填されている。ノズル１１からは噴霧のほか、液体のみ、泡状体のみ、あるいはこれらを混合したものを噴出するようにすることもできる。
【００２５】
上記のように構成されるペンダントタイプの噴射装置１０は、たとえば図３ａに示すように、首のまわりに吊り下げて携行することができる。そして噴射する場合は、小型エアゾール製品１２の本体２２の底部と、押しボタン１４の頭部とを指で摘み、軸方向に力を加え、押しボタン１４を押し下げる。あるいは本体２２を押し上げる。それにより図２のステム１８が押し込まれ、バルブ２３が開き、ステム１８の上端開口からエアゾール組成物が噴出する。そのため、噴出したエアゾール組成物は、押しボタン１４内のＴ字状の通路１６および左右のコネクタ２０を経由してノズル１１内に入る。そして湾曲状のノズル１１内に、その両端から中央部に向かってエアゾール組成物が互いに逆方向に進行し、中間部で出会うまで途中に形成された噴口１５から外部に噴出する（矢印Ｐ参照）。そして図３ａの実施形態ではノズル１１の内部側に噴口１５が形成されているので、首３０の回りに噴射される。噴口１５は通常は小孔である。しかしスリットとすることもできる。
【００２６】
図３ｂは、シャツの内面や縫い目部分に左右一対の噴射装置１０、１０を設けた実施形態を示している。この実施形態では、それぞれの噴射装置１０のノズル１１はシャツＵの内面に対し、アームホールを囲むように取り付けられる。ノズル１１に形成する噴口は人体に噴射するように外側を向いている。小型エアゾール製品１２は、図１、図２の噴射装置１０の場合と実質的に同じである。ノズル１１はシャツＵの内側に縫い付けるか、外側に縫い付ける。内側に縫い付ける場合は、手を入れるためのスリットをシャツＵに設ける。外側に縫い付ける場合は、ノズル１１と小型エアゾール製品１２とを連結する押しボタン１４を通す穴、あるいはノズル１１と小型エアゾール製品１２と連結するチューブを通す穴をシャツＵに設ける。
【００２７】
この実施の形態ではシャツＵにノズル１１を縫い付けており、小型エアゾール製品１２は押しボタン１４と着脱自在にして、常時は小型エアゾール製品１２を押しボタン１４から外しておき、噴射するときに小型エアゾール製品１２を押しボタン１４に取り付けるようにしてもよい。その場合は押しボタン１４の小型エアゾール製品１２を装着する部分をシャツＵに固定しておくことが好ましい。なお、ノズル１１はシャツＵ以外にも、背広、ネクタイ、帽子、ズボン、サポーター、リストバンド、ヘアバンドなど、身体に装着するものに縫い付けたり、マジックテープ（登録商標）などの面ファスナーなどで着脱自在に貼り付けてもよい。
【００２８】
図４に示す噴射装置３０は、小型エアゾール製品１２と押しボタン１４とを相対的に軸方向に移動自在に、かつ相対的に自軸まわりに回動自在となるように構成している。そして本体２２の肩部３１に筒状の肩カバー３２を設け、その肩カバー３２の内面に押しボタン１４の下部３３を上下移動自在かつ回動自在に嵌合している。さらに図５ｂに示すように、肩カバー３２には切り欠き溝３４を形成し、押しボタン１４の下面側にはその切り欠き溝１４と係合する突起３５を設けている。突起３５の高さは押しボタン１４を押し操作していない状態では、図５ａに示すように、突起３５の下端が肩カバー３２の上端などど係合して、押しボタン１４を押下げることができない寸法にしている。
【００２９】
上記のように構成される噴射装置３０は、使用者が単に首や肩から吊っている場合は、図４あるいは図５ａのように突起３５の下端が肩カバー３２の上端と係合する位置に回動させておく。それにより誤って押しボタン１４あるいは本体２２に軸方向の力が加わっても、内容物は噴射しない。使用者が噴射操作をしたい場合は、図５ｂのように本体２２、あるいは押しボタン１４を自軸まわりに約９０度回転させ、突起３５位置を切り欠き溝３４の位置に合せる。この状態では、使用者が押しボタン１４あるいは本体２２を軸方向に操作すると、突起３５が切り欠き溝３４に入ることができるので、押し操作をすることができる。したがって押しボタン１４と本体２２の相対的な回動位置を変更することによって、噴射可能状態と噴射阻止状態とを切り替えることができる。なお、押しボタン１４と肩カバー３２の上端との間には、押しボタン１４が勝手に回転しないように、摩擦抵抗などの抵抗手段を設けておく。
【００３０】
なお図４、図５ａ、図５ｂの噴射装置３０では、チューブからなるノズルに代えて吊り紐３６を採用してもよい。その場合は押しボタン１４にノズルチップ３７を設ける。噴霧のほか、液体あるいは泡状体を噴出するようにすることもできる。吊り紐３６は押しボタン１４に連結してもよく、本体２２または本体を入れたケース、あるいは肩カバー３２に連結することもできる。吊り紐３６としては天然または合成繊維を撚り合わせた紐を採用することができる。このように吊り紐３６を小型エアゾール製品１２に取り付けた噴射装置３０は、吊り紐３２が柔軟であるので、首回りや肩まわりの違和感がない。そして押しボタン１４を肩カバー３２の上端に係合させることにより、誤噴射を防止することができ、安全性が高い。
【００３１】
図４、図５ａ、図５ｂの捻り操作により、噴射可能状態と噴射阻止状態とを切り替えることができる噴射装置３０でも、図１の噴射装置１０と同様に多数の噴口を形成したチューブからなるノズル１１を採用することができる。その場合はノズルチップ３７は不要である。ただし両方設けることもできる。また、肩カバー３２に代えて、本体２２の全体を収容する有底筒状のケースを用いることもできる。
【００３２】
図６に示す噴射装置４０は、小型エアゾール製品１２を収容する有底筒状のケース４１と、そのケース４１の上端に回転自在かつ上下移動自在に被せられたキャップ４２とを備えている。そしてキャップ４２の内面には図７に示す螺旋状のカム溝４３が形成されており、ケース４１の外周面にはカム溝４３内を摺動する突起４４が形成されている。さらにキャップ４２のカム溝４３の上端からは軸方向上向きに上部ロック溝４５が延びており、カム溝４３の下端からは軸方向下向きに下部ロック溝４６が延びている。キャップ４２の上面には押しボタン１４と係合する天面または渡り片４７が形成され、キャップ４２の周面には噴射のときに邪魔をしないように切り欠き４８ないし開口が形成されている。また、キャップ４２には吊り紐３２が連結されている。
【００３３】
この噴射装置４０は、ケース４１とキャップ４２を両手で摘み、いくらか相対的に回転させると、ケース４１の突起４４がカム溝４３内を斜め上向きに摺動する。したがってキャップ４２は、ケース４１に深く嵌合する方向に相対的に移動する。それにより渡り片４７がステムに加えられる上向きの付勢力に抗して押しボタン１４を押し込み、ノズルチップ３７から噴射が始まる。キャップ４２を充分に回転させて突起４４が上部ロック溝４５に入り込むと、その状態がロックされ、解除するまで噴射が継続する。ケース４１とキャップ４２に逆向きの相対的な回転を与えると、噴射が停止する。そのとき、突起４４を下部ロック溝４６に係合させておくと、誤って軸方向の力が加わっても噴射しない。このようなカム溝４３と突起４４は、噴射可能状態と噴射阻止状態を切り替える切り替え機構として作用する。
【００３４】
図８に示す噴射装置５０は、押しボタン１４を本体２２に対して回転自在に構成している。この場合、押しボタン１４はステム１８に対して回転自在であってもよく、ステム１８がバルブのハウジングに対して回転自在であってもよい。また図９に示すように、肩カバー５１には噴射を遮る遮蔽壁５２が設けられている。さらに肩カバー５１には押しボタン１４の下端と干渉して上下動を阻止する突起５３が形成され、押しボタン１４の下面には特定の回動位置でその突起５３との干渉を回避して上下動を許す切り欠き５４が形成されている。また、押しボタン１４の周面の２個所には、摘みやすいように平坦面５５ないし凹部が形成されている。
【００３５】
この噴射装置５０は、押しボタン１４をそのノズルチップ１７が遮蔽壁５２と向き合うように回転させた状態（噴射阻止状態）では、押しボタン１４を押しても押しボタン１４の下端が肩カバー５１の突起５３に干渉して押し下げることができない。そしてノズルチップ１７が遮蔽壁５２から外れる位置まで回転させた状態（噴射可能状態）で押しボタン１４を押し込むと、押しボタン１４の下端の切り欠き５４が突起５３の位置に来るので押し下げ可能になり、噴霧を噴出させることができる。
【００３６】
図８に示す噴射装置５０において、押しボタン１４を回転自在とする構成に代えて、肩カバー５１を回転自在に構成することもできる。また、遮断壁５２を含むいくらかの部分のみを肩カバー５１に対して回転させるように構成することできる。吊り紐３２は一端のみが肩カバー５１に連結されているが、図６の場合と同様に両端を連結することもできる。吊り紐についても一端または両端を噴射製品に着脱自在に連結するのが好ましい。前記実施形態ではいずれも小型エアゾール製品を用いているが、小型エアゾール製品に代えて、小型のポンプ式噴射製品など、他の形式の小型噴射製品を採用することができる。
【符号の説明】
【００３７】
１０  噴射装置
１１  ノズル
１２  小型エアゾール製品
１３  チューブ
１４  押しボタン
１５  噴口
１６  通路
１７  下向きの通路
１８  ステム
１９  横向きの通路
２０  配管用のコネクタ
２１  コレット
２２  本体
２３  バルブ
２４  キャップ
２５  ハウジング
２６  バネ
２７  ガスケット
２８  小径部
２９  首
Ｕ  シャツ
３０  噴射装置
３１  肩部
３２  肩カバー
３３  下部
３４  切り欠き溝
３５  突起
３６  吊り紐
３７  ノズルチップ
４０  噴射装置
４１  ケース
４２  キャップ
４３  カム溝
４４  突起
４５  上部ロック溝
４６  下部ロック溝
４７  渡り片
４８  切り欠き
５０  噴射装置
５１  肩カバー
５２  遮蔽壁
５３  突起
５４  切り欠き
５５  平坦面
【図１】
2012000555.tif 000003
【図２】
2012000555.tif 000004
【図３】
2012000555.tif 000005
【図４】
2012000555.tif 000006
【図５】
2012000555.tif 000007
【図６】
2012000555.tif 000008
【図７】
2012000555.tif 000009
【図８】
2012000555.tif 000010
【図９】
2012000555.tif 000011